(57)【要約】【課題】ポンプ式噴霧容器において外気導入孔を不要とする。【解決手段】容器10の開口部の封止キャップ11にポンプ部12が設けられ、外気導入機構は容器10の開口部と前記封止キャップ11の外周部との間に設けられる。前記封止キャップ11は、前記ポンプ部12に備わる押しボタンの上下動に対応して上下に微動することができ、前記押しボタンが押下されたときに、前記封止キャップ11が下方に微動して封止キャップ11の下端周縁部のシール部11sと容器10の開口部との間が気密となり、前記押しボタンが上方に復動したときに、封止キャップ11が上方に微動して封止キャップ11のシール部11sと容器10の開口部との間に間隙が生じ、外気が容器10内部に流入する。【選択図】図２
2014213883.tif 000002
【特許請求の範囲】
【請求項１】
内部に薬液を収容した容器の開口部分にポンプ部を備えたポンプ式噴霧容器において、
前記ポンプ部(12)が容器(10)の開口部の封止キャップ(11)に設けられ、
外気導入機構が前記容器(10)の開口部と前記封止キャップ(11)の外周部との間に設けられ、
前記封止キャップ(11)は、前記ポンプ部(12)に備わる押しボタン(14)の上下動に対応して上下に微動することができ、
前記押しボタン(14)が押下されたときに、封止キャップ(11)が下方に微動して封止キャップ(11)の外周面と容器(10)の開口部の内周面とが密着して気密となり、
前記押しボタン(14)が上方に復動したときに、封止キャップ(11)が上方に微動して封止キャップ(11)の外周部と容器(10)の開口部との間に間隙が生じ、外気が容器(10)内部に流入することを特徴とするポンプ式噴霧容器の外気導入機構。
【請求項２】
前記封止キャップ(11)の下端周縁部にシール部(11s)を形成し、
このシール部(11s)は、容器(10)の内圧が外気よりも下回った際には、容器(10)との気密性が解除され、容器(10)の内圧が外気と同一又は外気よりも高くなった際には、機密性が維持されることを特徴とする請求項１に記載のポンプ式噴霧容器の外気導入機構。
【請求項３】
前記封止キャップ(11)の外周部周方向に環状の環状凹部(11h)を設け、この環状凹部(11h)に適合する環状凸部(10h)を容器(10)の開口部の内周面に設け、
封止キャップ(11)が下方に微動した際には、容器(10)開口部の環状凸部(10h)の上方部分が封止キャップ(11)の環状凹部(11h)の上方部分に密着して気密となり、
封止キャップ(11)が上方に微動した際には、容器(10)開口部の環状凸部(10h)の下方部分が封止キャップ(11)の環状凹部(11h)の下方部分と接合するが、この接合部分(U)に上下方向の溝条部を容器(10)開口部側又は封止キャップ(11)側の何れか一方に設けたことを特徴とする請求項１又は２に記載のポンプ式噴霧容器の外気導入機構。
【請求項４】
前記封止キャップ(11)の外周部周方向に環状の環状凸部(11g)を設け、この環状凸部(11g)に適合する環状凹部(10g)を容器(10)の開口部の内周面に設け、
封止キャップ(11)が下方に微動した際には、封止キャップ(11)の環状凸部(11g)の下方部分が容器(10)開口部の環状凹部(10g)の下方部分に密着して気密となり、
封止キャップ(11)が上方に微動した際には、封止キャップ(11)の環状凸部(11g)の上方部分が容器(10)開口部の環状凹部(10g)の上方部分と接合するが、この接合部分(U)に上下方向の溝条部を容器(10)開口部側又は封止キャップ(11)側の何れか一方に設けたことを特徴とする請求項１又は２に記載のポンプ式噴霧容器の外気導入機構。
【請求項５】
前記押しボタン(14)の下に筒体形状の上部キャップ(16)を設け、
この上部キャップ(16)が押しボタン(14)の下から容器(10)の上方部分を被覆し、押しボタン(14)の上下往復動に伴って容器(10)の上方部分の外周部で上下に往復摺動できることを特徴とした請求項１乃至４の何れか１項に記載のポンプ式噴霧容器の外気導入機構。
【発明の詳細な説明】
【技術分野】
【０００１】
本発明は、容器の内部に収容された各種の薬液等を容器に設備されたポンプにより噴口から外界に噴霧できるポンプ式噴霧容器に関し、とりわけ容器内に外気を導入する外気導入機構に関するものである。
【背景技術】
【０００２】
従来この種のポンプ式噴霧容器においては、各種の薬液等の内容液が収容された容器の上端開口部にポンプ機構を備えたキャップ部が設備され、このキャップ部のポンプの作動により内容液が吸い上げられ且つ噴口から噴射され、ノズル部から内容液が外界に霧状に噴霧されるものである。
【０００３】
下記特許文献に記載のポンプは、容器の上部開口部に装着されたキャップのポンプ部の可動噴出部の上下動により容器内の液を吸い上げて、ノズルより噴出するとともに、可動噴出部を押し下げた状態で固定吸引部に係止可能に構成してなるポンプであって、容器を倒した場合の液の漏出の恐れがなく、また、容器胴部を強く圧搾した場合にも液の漏出の恐れがないポンプを提案するものである。
【０００４】
当該ポンプは、可動噴出部の最下降係止状態で、可動噴出部と固定吸引部とでシリンダ内上下を遮断するシール部を形成し、また、ステム外周に上下動可能に装着した閉塞筒部材が外気導入孔を閉塞し、可動噴出部が最上昇位置にある時及び可動噴出部が液噴出のための上下動時にはシール部が開放されるとともに、外気導入孔が開放される如く構成したものである。
【先行技術文献】
【特許文献】
【０００５】
【特許文献１】特開２０１２−１１５７４８号公報
【発明の概要】
【発明が解決しようとする課題】
【０００６】
本発明においても、そのポンプ式噴霧容器の基本構成は従来のものと同様のものではあるが、容器の内容液を外界に噴霧し、その後外気を容器内に導入するに際して、特別な外気導入孔を設ける必要のないポンプ式噴霧容器を提供することをその課題としている。
即ち、外気導入孔が無くとも、排圧機構（外気導入機構）を提供し、機密性をも確保できるものを提供することをその課題としている。
これにより、その構成をより簡易なものとすることができ、製造の容易化又は組み付けの容易化、更には容器の小型化にも寄与することができるものとなる。
勿論、不使用時の容器内容液の漏洩や、容器が倒れた際の内容液の漏洩防止も可能なものでなければならない。
【課題を解決するための手段】
【０００７】
上記課題を解決するために、本発明の第１のものは、内部に薬液を収容した容器の開口部分にポンプ部を備えたポンプ式噴霧容器において、前記ポンプ部が容器の開口部の封止キャップに設けられ、外気導入機構が前記容器の開口部と前記封止キャップの外周部との間に設けられ、前記封止キャップは、前記ポンプ部に備わる押しボタンの上下動に対応して上下に微動することができ、前記押しボタンが押下されたときに、封止キャップが下方に微動して封止キャップの外周面と容器の開口部の内周面とが密着して気密となり、前記押しボタンが上方に復動したときに、封止キャップが上方に微動して封止キャップの外周部と容器の開口部との間に間隙が生じ、外気が容器内部に流入することを特徴とするポンプ式噴霧容器の外気導入機構である。
【０００８】
本発明の第２のものは、上記第１の発明において、前記封止キャップの下端周縁部にシール部を形成し、このシール部は、容器の内圧が外気よりも下回った際には、容器との気密性が解除され、容器の内圧が外気と同一又は外気よりも高くなった際には、機密性が維持されることを特徴とするポンプ式噴霧容器の外気導入機構である。
【０００９】
本発明の第３のものは、上記第１又は第２の発明において、前記封止キャップの外周部周方向に環状の環状凹部を設け、この環状凹部に適合する環状凸部を容器の開口部の内周面に設け、封止キャップが下方に微動した際には、容器開口部の環状凸部の上方部分が封止キャップの環状凹部の上方部分に密着して気密となり、封止キャップが上方に微動した際には、容器開口部の環状凸部の下方部分が封止キャップの環状凹部の下方部分と接合するが、この接合部分に上下方向の溝条部を容器開口部側又は封止キャップ側の何れか一方に設けたことを特徴とするポンプ式噴霧容器の外気導入機構である。
【００１０】
本発明の第４のものは、上記第１又は第２の発明において、前記封止キャップの外周部周方向に環状の環状凸部を設け、この環状凸部に適合する環状凹部を容器の開口部の内周面に設け、封止キャップが下方に微動した際には、封止キャップの環状凸部の下方部分が容器開口部の環状凹部の下方部分に密着して気密となり、封止キャップが上方に微動した際には、封止キャップの環状凸部の上方部分が容器開口部の環状凹部の上方部分と接合するが、この接合部分に上下方向の溝条部を容器開口部側又は封止キャップ側の何れか一方に設けたことを特徴とするポンプ式噴霧容器の外気導入機構である。
【００１１】
本発明の第５のものは、上記何れかの発明において、前記押しボタンの下に筒体形状の上部キャップを設け、この上部キャップが押しボタンの下から容器の上方部分を被覆し、押しボタンの上下往復動に伴って容器の上方部分の外周部で上下に往復摺動できることを特徴としたポンプ式噴霧容器の外気導入機構である。
【発明の効果】
【００１２】
本発明の第１のものにおいては、外気導入機構が容器の開口部と、ポンプが設けられた封止キャップの外周部との間に設けられており、押しボタンを押下するときには封止キャップと容器の開口部との間が気密となり、ポンプの押しボタンが上方に復動するときに、封止キャップと容器の開口部との間に僅かな間隙が生じ、外気が容器内部に流入するように構成したため、押しボタンの上下動の動作に伴って同時に、外気が遮断され且つ導入されることとなるのである。
【００１３】
従って、本発明の外気導入機構においては、従来のような外気導入孔とこれを封止又は開放する部材を設ける必要がなく、よりその構成を簡易なものとすることができ、製造容易及び組み付け容易、そしてポンプの構造の簡素化と小型化にも寄与できるのである。
【００１４】
更に詳説すると、ポンプが容器の開口部の封止キャップに設けられ、外気導入機構が前記容器の開口部と前記ポンプが設備された容器の封止キャップの外周部との間に設けられ、この封止キャップは、前記ポンプに備わる押しボタンの上下動に対応して上下に微動することができ、前記押しボタンが押下されたときに、封止キャップが下方に微動して封止キャップと容器の開口部との間が気密となり、前記押しボタンが上方に復動したときに、封止キャップが上方に微動して封止キャップの外周部と容器の開口部との間に間隙が生じ、外気が容器内部に流入するように構成したものである。
【００１５】
本発明の第２のものにおいては、上記第１の発明をより具体化したものであって、前記封止キャップの下端周縁部にシール部を形成し、このシール部は、容器の内圧が外気よりも下回った際には、容器との気密性が解除され、容器の内圧が外気と同等又は高くなった際には、機密性が維持されることを特徴とする。
これにより、ポンプの押しボタンが操作され、内容液が噴射されると、容器の内圧が低下し、その際には、前記シール部の機密性が解除されて外気が導入され、前記押しボタンの操作が完了して元の位置に復帰すると、容器内圧は外気と同等となり、前記シール部の機密性が保持されて封止が行われることとなり、容器内の内容液の漏洩も防止されることとなるのである。
【００１６】
本発明の第３のものにおいては、封止キャップの外周部に環状凹部が設けられ、これに適合する環状凸部が容器開口部の内周面に設けられ、封止キャップが下方に微動した際には、容器開口部の環状凸部の上方部分が封止キャップの環状凹部の上方部分に密着して気密となり、封止キャップが上方に微動した際には、容器開口部の環状凸部の下方部分が封止キャップの環状凹部の下方部分と接合するが、この接合部分に上下方向の溝条部を容器開口部側又は封止キャップ側の何れか一方に設けたことを特徴としており、これにより、封止キャップが上方に微動する際に、上記溝条部が設けられていることにより、外気の導入がより確実に確保されることとなる。
【００１７】
本発明の第４のものにおいては、上記第３の発明とは逆に、封止キャップに環状凸部を、容器開口部に環状凹部を設け、その他の構成は上記第３の発明と同じ構成である。
この第４の発明においても、その溝条部の存在により、封止キャップが上方に微動した際に、外気の導入がより確実なものとされる。
尚、この上下方向の溝条部は、これが無くとも、外気の導入は可能なものである。
というのも、封止キャップが下方に微動して気密となり、その後封止キャップが上方に微動する際に封止キャップと容器開口部との間には瞬間的に微小ではあるが間隙が生じるからである。
【００１８】
本発明の第５のものにおいては、押しボタンの下に上部キャップを設けたことにより、封止キャップに設けたポンプ部を被覆して内部に隠すことができ、そのデザインをスマートなものとすることができると共に、この上部キャップは、押しボタンの上下動に伴って本体部の上方部分の外周部を上下に往復摺動できるために、押しボタンの押下動作を適切に案内することができるものとなる。
【図面の簡単な説明】
【００１９】
【図１】本発明のポンプ式噴霧容器に係る一実施形態の全体を示しており、その（Ａ）が中央縦断面図を示し、その（Ｂ）が斜視図を示している。
【図２】上記図１（Ａ）の要部Ｓの拡大図である。
【図３】上記実施形態に係る封止キャップと容器開口部との接合部分の拡大説明図であり、その（Ａ）が封止キャップ側に環状凹部が設けられたものを、その（Ｂ）が封止キャップに環状凸部を設けたものを示している。
【発明を実施するための形態】
【００２０】
以下、添付の図面と共に本発明の実施形態について説明する。
図１は、本発明のポンプ式噴霧容器の全体を示しており、その（Ａ）が中央縦断面図を示し、その（Ｂ）が斜視図を示している。
図２は、上記図１（Ａ）の要部Ｓの拡大図である。
【００２１】
本発明に係るポンプ式噴霧容器は、有底筒体形状を有する容器１０と、この容器１０の上方の開口部を封止する封止キャップ１１と、この封止キャップ１１の略中心部上下方向に配設されたポンプ部１２と、ポンプ部１２の上端部のステム１３に冠着された押しボタン１４を備えている。
【００２２】
押しボタン１４の側面部には、噴口１５が設けられ、この噴口１５からステム１３に至るまで流通路が形成されており、この噴口１５から容器１０の内容液が外部に噴霧される。
この実施形態では、前記押しボタン１４の下方に、この押しボタン１４と上下に連動するように上方キャップ１６が設けられている。
【００２３】
この上方キャップ１６は、押しボタン１４を下方に押下すれば、同時に下方に可動し、押しボタン１４が上方に復帰すると、それに伴って上方に可動する。
この上方キャップ１６は、前記ポンプ部１２の外周を被覆し、即ち、そのポンプ部１２を外部から視認できないようにし、製品全体の外観をよりスマートなものとするために備えたものである。
【００２４】
更に、この上方キャップ１６は、筒体形状の容器１０の上方部分をも被覆し、前記外観の向上と共に、前記押しボタン１４の押下動作を滑らかに案内する役目をも果たすものである。
次に、ポンプ部１２の構成について以下説明するが、このポンプ部の構成は従来のポンプと同様のものである。
【００２５】
即ち、このポンプ部１２は、シリンダー形態のアキュムレータ２０を有し、その上方の開口部には前記ステム１３が配置され、このステム１３を上方に付勢する蓄圧スプリング２３を内設するピストン２４が配備され、ピストン２４の下方に設けられたスプリング受け２６とアキュムレーター２０の下方段部２０ｄとの間には復動スプリング２７を設け、アキュムレーター２０の下方開口部には、この開口部を封止又は開口する鋼球２８が配設されている。
このアキュムレーター２０の下端部には、チューブ２９が接続し、容器１０の内部の薬液を吸い上げることができる。
【００２６】
以上のポンプの構成に基づき、ポンプ部１２の作動は以下の通りとなる。
押しボタン１４が押下されると、ステム１３が下方に押し下げられる。このとき下方キャップ１６も同様に下方に押し下げられる。
【００２７】
ステム１３が押下されると、蓄圧スプリング２３が圧縮され、ピストン２４も下方に押し下げられる。
ピストン２４が押下すると、スプリング受け２６が押し下げられ、復動スプリング２７が圧縮され、下方の鋼球２８は、アキュムレーター２０の下方の開口部を封鎖し、アキュムレーター２０内部に貯留していた薬液が圧縮された状態となる。
【００２８】
この圧縮された薬液は、このステム１３の適宜位置に設けられている開口部（オリフィス）１３ｑからステム１３内の導通路１３ｐ内に流入して、噴口１５から外部に噴霧される。
【００２９】
アキュムレーター２０の内部の薬液が排出され、押しボタン１４が上方位置に復帰すると、アキュムレーター２０の内部の圧力が低下して、下端部に配置された鋼球２８が上方に移動する。
鋼球２８が上方に移動すると容器１０内部の薬液がチューブ２９からアキュムレーター２０内に流れ込み、アキュムレーター２０内の圧力が上昇する。
【００３０】
アキュムレーター２０内の圧力が上昇すると、鋼球２８がその開口部を封鎖して、アキュムレーター２０内に薬液が貯留状態となる。
この際にステム１３は上方位置に復帰しており、前記ステム１３の開口部（オリフィス）１３ｑも封鎖された状態となっているのである。
【００３１】
ここで、本発明の外気導入機構においては、上記ポンプ部１２の作動に伴って、容器１０内の薬液がアキュムレーター２０内部に吸い上げられると、容器１０の内部の圧力が低下することとなる。
容器１０の内部の圧力が低下すると、容器１０の上方開口部に嵌合する封止キャップ１１も下方に引き寄せられる。
【００３２】
本発明においては、この封止キャップ１１が下方に引き寄せられると同時に、つまり、封止キャップ１１が下方に微動すると同時に、封止キャップ１１の下端周縁部に設けられたこのシール部１１ｓが内側方向に可動し、その結果図中矢印Ｄのように外気が容器１０内部に流入する構成を採用している。
【００３３】
このように、外気が、容器１０の開口部と封止キャップ１１の外周部との間（隙間）から容器１０内部に流入するのは、容器１０の内部の内圧が低下することによるのである。
他方、容器１０の内部に外気が流入し、その内圧が外界とほぼ同一となると、シール部１１ｓは、上記の隙間を封鎖することができるのである。
【００３４】
このように、本発明においては、封止キャップ１１を柔軟な合成樹脂製のものから形成し、この封止キャップ１１の下端周縁部の全周にシール部１１ｓを形成したことを特徴としており、その材質は、この実施形態では、ポリプロピレンを使用している。
【００３５】
図３は、上記実施形態に係る封止キャップと容器開口部との接合部分の拡大説明図であり、その（Ａ）が封止キャップ側に環状凹部が設けられたものを、その（Ｂ）が封止キャップに環状凸部を設けたものを示している。
（Ａ）図においては、封止キャップ１１の外周の周方向の全体に環状凹部１１ｈを設け、容器１０の開口部の内周面には、前記環状凹部１１ｈに適合する環状凸部１０ｈを設けている。
【００３６】
これらの環状凹部１１ｈと環状凸部１０ｈとの相互の係合により、封止キャップ１１と容器１０の開口部との間が気密となり、又は、間隙が生じることとなる。
この部分が本発明の最重要部分である。
即ち、封止キャップ１１が下方に微動すると、封止キャップ１１の環状凹部１１ｈの上方側の傾斜面１１ｒと容器１０の開口部の環状凸部１０ｈの上方側の傾斜面１０ｒとが接合し、密着して機密となる（図中符号Ｔの部分）。
【００３７】
他方、封止キャップ１１が上方に微動する際には、封止キャップ１１と容器１０の開口部との間に間隙が生じ、外気が容器１０内部に導入されるのである。
本実施形態においては、図には現われていないが、封止キャップ１１が上方に微動すると、前記環状凹部１１ｈの下方側の傾斜面１１ｔと前記環状凸部１０ｈの下方側の傾斜面１０ｔとが接合するが、この接合部分Ｕの上下縦方向に溝条部を封止キャップ１１側に設けている。
【００３８】
この溝条部の存在により、上記接合部分Ｕの気密が解除され、この接合部分Ｕが接合しても、外気は外界から容器内部に導入できるのである。
本発明においては、この溝条部が無くとも実施可能なのであるが、というのも、封止キャップ１１が上方に微動する際に、封止キャップ１１と容器１０の開口部との間には間隙が瞬間的に生じるからであるが、より確実に外気を導入することができるようにするために、この溝条部を設けた。
【００３９】
尚、この溝条部は、容器１０の開口部の内周面の上記接合部分Ｕに設けて実施することもできる。
また、本発明においては、封止キャップ１１の下端周縁部にシール部１１ｓを設けているために、容器１０内部の内容液が外部に漏れ出す心配もないのである。
【００４０】
図３（Ｂ）においては、環状凹部を容器１０の開口部内周面に設け、環状凸部を封止キャップ１１の側に設け、上記（Ａ）図のものと反対に設けたものである。
即ち、封止キャップ１１の側に環状凸部１１ｇを、容器１０の側に環状凹部１０ｇを設けたものである。
【００４１】
この実施形態の場合には、封止キャップ１１が下方に微動すると、環状凸部１１ｇの下方側の傾斜面１１ｒが環状凹部１０ｇの下方側の傾斜面１０ｒとが接合して密着し、気密となる（図中符号Ｔの部分）。
他方、封止キャップ１１が上方に微動する際には、封止キャップ１１と容器１０の開口部との間に間隙が生じ、外気が容器１０内部に導入されるのである。
本実施形態においては、図には現われていないが、封止キャップ１１が上方に微動すると、前記環状凹部１０ｇの上方の傾斜面１０ｔと前記環状凸部１１ｇの上方の傾斜面１１ｔとが接合するが、この接合部分Ｕの上下縦方向に溝条部を封止キャップ１１側に設けている。
【００４２】
この溝条部の存在により、上記接合部分Ｕの気密が解除され、この接合部分Ｕが接合しても、外気は外界から容器内部に導入できるのである。
本発明においては、この溝条部が無くとも実施可能なのであるが、というのも、封止キャップ１１が上方に微動する際に、封止キャップ１１と容器１０の開口部との間には瞬間的に間隙が生じるからであるが、より確実に外気を導入することができるようにするために、この溝条部を設けたのである。
【００４３】
上記溝条部の数は、１本でも複数本でもよい。
尚、この図３の実施形態においては、環状凹部と環状凸部との１組のものを例示したが、これらを２組以上設けることも自由である。
【００４４】
以上、実施形態について説明したが、本発明においては種々設計変更が可能である。
先ず上記実施形態において、上方キャップは無くてもよい。
ただ外観を向上させるために、或いは押しボタンのスムースな押下動作を補助するためには、これを設けることが好ましい。
【００４５】
本体部と封止キャップ、ポンプ部、及び押しボタン等のサイズや材質等も適宜選択して設計変更することができる。
以上、本発明は、容器の開口部内周部とこれを封止する封止キャップの外周部との構造により、簡易に外気を容器内に導入又は封止することのできるポンプ式噴霧容器の外気導入機構を提供することができたものである。
【符号の説明】
【００４６】
１０  容器
１０ｇ  環状凹部（容器の）
１０ｈ  環状凸部（容器の）
１０ｓ、１０ｔ  傾斜面
１１  封止キャップ
１１ｇ  環状凸部（封止キャップの）
１１ｈ  環状凹部（封止キャップの）
１１ｓ  シール部
１１ｒ、１１ｔ  傾斜面
１２  ポンプ部
１３  ステム
１３ｐ  導通路
１４  押しボタン
１５  噴口
１６  上方キャップ
２０  アキュムレーター
２３  蓄圧スプリング
２４  ピストン
２６  スプリング受け
２７  復動スプリング
２８  鋼球
２９  チューブ
Ｕ  接合部分
【図１】
2014213883.tif 000003
【図２】
2014213883.tif 000004
【図３】
2014213883.tif 000005